(57)【要約】【課題】入力操作を伴うことなく、簡単かつ安価な構成で、画像データに画像の関連情報を付加して記録できるカメラ付き携帯端末を提供する。【解決手段】それぞれ被写体を撮影して画像データを出力する撮影方向が異なる第１撮像手段11および第２撮像手段12と、第１撮像手段11または第２撮像手段12の一方の撮影開始に同期して、所定時間内に他方の撮影を開始するように撮影動作を制御する制御手段13と、第２撮像手段12からの画像データに基づいて、当該画像データに関する情報を検出する情報検出手段14と、第１撮像手段11からの画像データに、当該画像データの画像関連情報として、情報検出手段14で検出された情報を関連付けて記録する画像記録手段16と、を有する。【選択図】図１
2008271309.tif 000002
【特許請求の範囲】
【請求項１】
それぞれ被写体を撮影して画像データを出力する撮影方向が異なる第１撮像手段および第２撮像手段と、
前記第１撮像手段または前記第２撮像手段の一方の撮影開始に同期して、所定時間内に他方の撮影を開始するように撮影動作を制御する制御手段と、
前記第２撮像手段からの画像データに基づいて、当該画像データに関する情報を検出する情報検出手段と、
前記第１撮像手段からの画像データに、当該画像データの画像関連情報として、前記情報検出手段で検出された情報を関連付けて記録する画像記録手段と、
を有することを特徴とするカメラ付き携帯端末。
【請求項２】
さらに、前記画像関連情報を取得するための複数の画像データおよび各画像データの識別情報を格納した画像データベースを有し、
前記情報検出手段は、前記第２撮像手段からの画像データに基づいて、当該画像データに関する情報として、前記画像データベースを検索して対応する画像データの識別情報を検出することを特徴とする請求項１に記載のカメラ付き携帯端末。
【請求項３】
前記情報検出手段は、前記第２撮像手段からの画像データに基づいて、撮影者の情報を検出することを特徴とする請求項１または２に記載のカメラ付き携帯端末。
【請求項４】
被写体を撮影して画像データを出力する撮像手段と、
該撮像手段により順次撮影して得られる一方の画像データに基づいて、当該画像データに関する情報を検出する情報検出手段と、
前記撮像手段により順次撮影して得られる他方の画像データに、当該画像データの画像関連情報として、前記情報検出手段で検出された情報を関連付けて記録する画像記録手段と、
を有することを特徴とするカメラ付き携帯端末。
【請求項５】
さらに、前記画像関連情報を取得するための複数の画像データおよび各画像データの識別情報を格納した画像データベースを有し、
前記情報検出手段は、前記撮像手段からの前記一方の画像データに基づいて、当該画像データに関する情報として、前記画像データベースを検索して対応する画像データの識別情報を検出することを特徴とする請求項４に記載のカメラ付き携帯端末。
【請求項６】
前記情報検出手段は、前記撮像手段からの前記一方の画像データに基づいて、撮影者の情報を検出することを特徴とする請求項４または５に記載のカメラ付き携帯端末。
【請求項７】
ネットワークに接続されて、画像データに関する情報を提供する画像関連情報提供サーバと、
前記ネットワークを介して前記画像関連情報提供サーバに接続可能なカメラ付き携帯通信端末とを有し、
前記カメラ付き携帯通信端末は、撮影して得た対をなす画像データの一方を、前記ネットワークを介して前記画像関連情報提供サーバに送信し、
前記画像関連情報提供サーバは、前記カメラ付き携帯通信端末から受信した前記一方の画像データに関する情報を、前記ネットワークを介して前記カメラ付き携帯通信端末へ送信し、
前記カメラ付き携帯通信端末は、前記画像関連情報提供サーバから受信した前記一方の画像データに関する情報を、対をなす他方の画像データに、当該画像データの画像関連情報として、関連付けて記録することを特徴とする画像関連情報取得システム。
【請求項８】
ネットワークに接続されて、画像データに関する情報を提供する画像関連情報提供サーバであって、
前記ネットワークを介して受信した画像データに基づいて、当該画像データに関する情報を検出する情報検出手段を有し、
該情報検出手段で検出した情報を、前記画像データの送信元に画像関連情報として、前記ネットワークを介して提供するように構成したことを特徴とする画像関連情報提供サーバ。
【請求項９】
さらに、前記画像関連情報を取得するための複数の画像データおよび各画像データの識別情報を格納した画像データベースを有し、
前記情報検出手段は、前記受信した画像データに基づいて、当該画像データに関する情報として、前記画像データベースを検索して対応する画像データの識別情報を検出することを特徴とする請求項８に記載の画像関連情報提供サーバ。
【請求項１０】
前記情報検出手段は、前記受信した画像データに基づいて、撮影者の情報を検出することを特徴とする請求項８または９に記載の画像関連情報提供サーバ。
【請求項１１】
画像データに関する情報を提供する画像関連情報提供サーバに、ネットワークを介して接続可能なカメラ付き携帯通信端末であって、
前記ネットワークを介して前記画像関連情報提供サーバと通信する通信手段と、
それぞれ被写体を撮影して画像データを出力する撮影方向が異なる第１撮像手段および第２撮像手段と、
前記第１撮像手段または前記第２撮像手段の一方の撮影開始に同期して、所定時間内に他方の撮影を開始するように撮影動作を制御する制御手段と、
前記第１撮像手段および前記第２撮像手段からそれぞれ得られる画像データを対として、一方の画像データに基づいて前記画像関連情報提供サーバから提供される情報を、他方の画像データに関連付けて記録する画像記録手段とを有し、
前記一方の画像データを、前記通信手段により前記ネットワークを介して前記画像関連情報提供サーバへ送信し、前記画像関連情報提供サーバから前記ネットワークを介して送信される前記一方の画像データに関する情報を、前記通信手段により受信して、前記他方の画像データに、当該他方の画像データの画像関連情報として関連付けて、前記画像記録手段に記録するように構成したことを特徴とするカメラ付き携帯通信端末。
【請求項１２】
画像データに関する情報を提供する画像関連情報提供サーバに、ネットワークを介して接続可能なカメラ付き携帯通信端末であって、
前記ネットワークを介して前記画像関連情報提供サーバと通信する通信手段と、
被写体を撮影して画像データを出力する撮像手段と、
該撮像手段により順次撮影して得られる画像データを対として、一方の画像データに基づいて前記画像関連情報提供サーバから提供される情報を、他方の画像データに関連付けて記録する画像記録手段とを有し、
前記一方の画像データを、前記通信手段により前記ネットワークを介して前記画像関連情報提供サーバへ送信し、前記画像関連情報提供サーバから前記ネットワークを介して送信される前記一方の画像データに関する情報を、前記通信手段により受信して、前記他方の画像データに、当該他方の画像データの画像関連情報として関連付けて、前記画像記録手段に記録するように構成したことを特徴とするカメラ付き携帯通信端末。
【発明の詳細な説明】
【技術分野】
【０００１】
本発明は、画像データに、画像の関連情報を付加して記録するカメラ付き携帯端末および画像関連情報取得システム、並びに、該画像関連情報取得システムに用いる画像関連情報提供サーバおよびカメラ付き携帯通信端末に関するものである。
【背景技術】
【０００２】
従来、デジタルカメラで撮影して得た画像データに、撮影者等の画像関連情報を付加する方法としては、例えば、撮影後に、デジタルカメラの画像データをパソコン等の編集装置へ転送し、編集装置上で編集ソフトを使って、ユーザによりマニュアルで画像関連情報を入力して、入力された画像関連情報を画像データのヘッダに付加する方法が知られている。
【０００３】
また、他の方法として、撮影毎に、デジタルカメラの表示部に、撮影者の情報を入力するように促すメッセージを表示して、ユーザに撮影者を直接入力させたり、予め登録した人から撮影者を選択させたりして、画像データに関連付けて撮影者を記録するようにした方法も知られている（例えば、特許文献１参照）。さらに、他の方法として、デジタルカメラに、撮影者の指紋や声紋、あるいは虹彩等の生体情報を取得する生体センサを搭載し、撮影時に生体センサから取得した撮影者の生体情報に基づいて、撮影者を識別して画像データに対応して記録するようにした方法も知られている（例えば、特許文献２参照）。
【０００４】
【特許文献１】特開２００６−２１１１３８号公報
【特許文献２】特開２００１−３３３３６０号公報
【発明の開示】
【発明が解決しようとする課題】
【０００５】
しかしながら、上述した、撮影後に画像データを編集装置へ転送して、編集装置上で編集ソフトを使用して画像関連情報を入力する方法や、上記の特許文献１に開示のように、デジタルカメラ側で、撮影毎に、撮影者情報を入力する方法では、ユーザがマニュアルで所要の情報を入力するため、手間がかかるとともに、誤った情報を画像データに簡単に付加することができるため、著作権保護の観点から、充分な信頼性が得られないことが懸念される。
【０００６】
これに対し、上記の特許文献２に開示の方法の場合には、撮影時に生体センサから得られる撮影者の生体情報に基づいて、撮影者を識別して記録するので、入力手間を省くことができるとともに、誤った情報が入力されることもないので、撮影者の著作権を確実に保護することが可能となる。
【０００７】
しかし、特許文献２に開示の方法では、撮影時に、撮影者の指紋や声紋、あるいは虹彩等の生体情報を取得できるように、生体センサをデジタルカメラに搭載しなければならないため、構成が複雑になるとともに、コストアップを招くことが懸念される。
【０００８】
したがって、かかる点に鑑みてなされた本発明の目的は、入力操作を伴うことなく、簡単かつ安価な構成で、画像データに画像の関連情報を付加して記録できるカメラ付き携帯端末および画像関連情報取得システム、並びに、該画像関連情報取得システムに用いるカメラ付き携帯通信端末および画像関連情報提供サーバを提供することにある。
【課題を解決するための手段】
【０００９】
上記目的を達成する請求項１に係るカメラ付き携帯端末の発明は、
それぞれ被写体を撮影して画像データを出力する撮影方向が異なる第１撮像手段および第２撮像手段と、
前記第１撮像手段または前記第２撮像手段の一方の撮影開始に同期して、所定時間内に他方の撮影を開始するように撮影動作を制御する制御手段と、
前記第２撮像手段からの画像データに基づいて、当該画像データに関する情報を検出する情報検出手段と、
前記第１撮像手段からの画像データに、当該画像データの画像関連情報として、前記情報検出手段で検出された情報を関連付けて記録する画像記録手段と、
を有することを特徴とするものである。
【００１０】
請求項２に係る発明は、請求項１に記載のカメラ付き携帯端末において、
さらに、前記画像関連情報を取得するための複数の画像データおよび各画像データの識別情報を格納した画像データベースを有し、
前記情報検出手段は、前記第２撮像手段からの画像データに基づいて、当該画像データに関する情報として、前記画像データベースを検索して対応する画像データの識別情報を検出することを特徴とするものである。
【００１１】
請求項３に係る発明は、請求項１または２に記載のカメラ付き携帯端末において、
前記情報検出手段は、前記第２撮像手段からの画像データに基づいて、撮影者の情報を検出することを特徴とするものである。
【００１２】
さらに、上記目的を達成する請求項４に係るカメラ付き携帯端末の発明は、
被写体を撮影して画像データを出力する撮像手段と、
該撮像手段により順次撮影して得られる一方の画像データに基づいて、当該画像データに関する情報を検出する情報検出手段と、
前記撮像手段により順次撮影して得られる他方の画像データに、当該画像データの画像関連情報として、前記情報検出手段で検出された情報を関連付けて記録する画像記録手段と、
を有することを特徴とするものである。
【００１３】
請求項５に係る発明は、請求項４に記載のカメラ付き携帯端末において、
さらに、前記画像関連情報を取得するための複数の画像データおよび各画像データの識別情報を格納した画像データベースを有し、
前記情報検出手段は、前記撮像手段からの前記一方の画像データに基づいて、当該画像データに関する情報として、前記画像データベースを検索して対応する画像データの識別情報を検出することを特徴とするものである。
【００１４】
請求項６に係る発明は、請求項４または５に記載のカメラ付き携帯端末において、
前記情報検出手段は、前記撮像手段からの前記一方の画像データに基づいて、撮影者の情報を検出することを特徴とするものである。
【００１５】
さらに、上記目的を達成する請求項７に係る画像関連情報取得システムの発明は、
ネットワークに接続されて、画像データに関する情報を提供する画像関連情報提供サーバと、
前記ネットワークを介して前記画像関連情報提供サーバに接続可能なカメラ付き携帯通信端末とを有し、
前記カメラ付き携帯通信端末は、撮影して得た対をなす画像データの一方を、前記ネットワークを介して前記画像関連情報提供サーバに送信し、
前記画像関連情報提供サーバは、前記カメラ付き携帯通信端末から受信した前記一方の画像データに関する情報を、前記ネットワークを介して前記カメラ付き携帯通信端末へ送信し、
前記カメラ付き携帯通信端末は、前記画像関連情報提供サーバから受信した前記一方の画像データに関する情報を、対をなす他方の画像データに、当該画像データの画像関連情報として、関連付けて記録することを特徴とするものである。
【００１６】
さらに、上記目的を達成する請求項８に係る画像関連情報提供サーバの発明は、ネットワークに接続されて、画像データに関する情報を提供する画像関連情報提供サーバであって、
前記ネットワークを介して受信した画像データに基づいて、当該画像データに関する情報を検出する情報検出手段を有し、
該情報検出手段で検出した情報を、前記画像データの送信元に画像関連情報として、前記ネットワークを介して提供するように構成したことを特徴とするものである。
【００１７】
請求項９に係る発明は、請求項８に記載の画像関連情報提供サーバにおいて、
さらに、前記画像関連情報を取得するための複数の画像データおよび各画像データの識別情報を格納した画像データベースを有し、
前記情報検出手段は、前記受信した画像データに基づいて、当該画像データに関する情報として、前記画像データベースを検索して対応する画像データの識別情報を検出することを特徴とするものである。
【００１８】
請求項１０に係る発明は、請求項８または９に記載の画像関連情報提供サーバにおいて、
前記情報検出手段は、前記受信した画像データに基づいて、撮影者の情報を検出することを特徴とするものである。
【００１９】
さらに、上記目的を達成する請求項１１に係るカメラ付き携帯通信端末の発明は、画像データに関する情報を提供する画像関連情報提供サーバに、ネットワークを介して接続可能なカメラ付き携帯通信端末であって、
前記ネットワークを介して前記画像関連情報提供サーバと通信する通信手段と、
それぞれ被写体を撮影して画像データを出力する撮影方向が異なる第１撮像手段および第２撮像手段と、
前記第１撮像手段または前記第２撮像手段の一方の撮影開始に同期して、所定時間内に他方の撮影を開始するように撮影動作を制御する制御手段と、
前記第１撮像手段および前記第２撮像手段からそれぞれ得られる画像データを対として、一方の画像データに基づいて前記画像関連情報提供サーバから提供される情報を、他方の画像データに関連付けて記録する画像記録手段とを有し、
前記一方の画像データを、前記通信手段により前記ネットワークを介して前記画像関連情報提供サーバへ送信し、前記画像関連情報提供サーバから前記ネットワークを介して送信される前記一方の画像データに関する情報を、前記通信手段により受信して、前記他方の画像データに、当該他方の画像データの画像関連情報として関連付けて、前記画像記録手段に記録するように構成したことを特徴とするものである。
【００２０】
さらに、上記目的を達成する請求項１２に係るカメラ付き携帯通信端末の発明は、画像データに関する情報を提供する画像関連情報提供サーバに、ネットワークを介して接続可能なカメラ付き携帯通信端末であって、
前記ネットワークを介して前記画像関連情報提供サーバと通信する通信手段と、
被写体を撮影して画像データを出力する撮像手段と、
該撮像手段により順次撮影して得られる画像データを対として、一方の画像データに基づいて前記画像関連情報提供サーバから提供される情報を、他方の画像データに関連付けて記録する画像記録手段とを有し、
前記一方の画像データを、前記通信手段により前記ネットワークを介して前記画像関連情報提供サーバへ送信し、前記画像関連情報提供サーバから前記ネットワークを介して送信される前記一方の画像データに関する情報を、前記通信手段により受信して、前記他方の画像データに、当該他方の画像データの画像関連情報として関連付けて、前記画像記録手段に記録するように構成したことを特徴とするものである。
【発明の効果】
【００２１】
本発明によれば、入力操作を伴うことなく、簡単かつ安価な構成で、画像データに画像の関連情報を付加して記録することが可能となる。
【発明を実施するための最良の形態】
【００２２】
以下、本発明の実施の形態について、図を参照して説明する。
【００２３】
（第１実施形態）
図１は、本発明の第１実施形態に係るカメラ付き携帯端末の概略構成を示す機能ブロック図である。このカメラ付き携帯端末１０は、それぞれ被写体を撮影して画像データを出力する第１撮像手段１１および第２撮像手段１２と、これら第１撮像手段１１および第２撮像手段１２による撮影動作を制御する制御手段１３と、第２撮像手段１２からの画像データに基づいて、当該画像データに関する情報を検出する情報検出手段１４と、第１撮像手段１１からの画像データに、当該画像データの画像関連情報として、情報検出手段１４で検出された情報を付加して関連付ける情報付加手段１５と、情報付加手段１５により画像関連情報が付加された画像データを記録する画像記録手段１６と、を有している。
【００２４】
第１撮像手段１１および第２撮像手段１２は、撮影者による通常の撮影姿勢において、例えば、第１撮像手段１１は前方の被写体を撮影し、第２撮像素子１２は後方の被写体である撮影者の顔を撮影するように、撮影方向を異ならせて設ける。制御手段１３は、第１撮像手段１１または第２撮像手段１２の一方の撮影開始に同期して、実質的に撮影者が変更されない所定時間内（例えば、３〜５秒内）に他方の撮影を開始するように撮影動作を制御するもので、本実施形態では、第１撮像手段１１による撮影と同時に、第２撮像手段１２により撮影者を撮影するように制御する。
【００２５】
情報検出手段１４は、本実施形態では、第２撮像手段１２からの画像データに基づいて、予め登録した撮影者の氏名情報を、第１撮像手段１１による撮影画像の画像関連情報として検出して、情報付加手段１５へ出力するように構成する。このため、情報検出手段１４には、予め、第２撮像手段１２により所定の撮影者（通常は、当該カメラ付き携帯端末１０のユーザ）の顔を撮影して、その画像データを登録しておくとともに、当該撮影者の氏名情報を登録しておく。なお、登録する撮影者の顔の画像データは、目や鼻等の顔の部分画像データでもよい。本明細書では、顔の部分画像データも、総称して顔の画像データと言う。
【００２６】
このようにして、第１撮像手段１１による撮影開始に同期して、第２撮像手段１２による撮影を同時に開始して、第２撮像手段１２からの画像データと登録されている画像データとを比較して、第２撮像手段１２で撮影された撮影者の顔が、登録されている撮影者の顔と一致した場合には、登録されている氏名情報を情報付加手段１５へ出力し、一致しない場合には、撮影者が不明である旨の情報を情報付加手段１５へ出力する。
【００２７】
情報付加手段１５は、情報検出手段１４からの情報を、第１撮像手段１１からの画像データに、当該画像データの画像関連情報として付加して、画像記録手段１６に記録する。
【００２８】
本実施形態によれば、通常の撮影姿勢において、第１撮像手段１１による被写体の撮影と同時に、撮影者の顔を撮影する第２撮像手段１２を設け、この第２撮像手段１２により撮影した撮影者の顔が、情報検出手段１４において、登録されている所定の撮影者の顔と一致するか否かを自動的に判定して、一致する場合には、当該撮影者の氏名情報を、情報付加手段１５において、第１撮像手段１１からの画像データに自動的に付加して画像記録手段１６に記録するようにしたので、情報検出手段１４に、予め第２撮像手段１２により所定の撮影者の顔を撮影して、その画像データを氏名情報とともに登録しておくという簡単な操作だけで、登録した撮影者による撮影においては、被写体の撮影と同時に、その画像データに当該撮影者の氏名情報を自動的に付加することができる。したがって、簡単かつ安価な構成で、被写体の画像データに撮影者の氏名情報を誤り無く付加して記録でき、撮影者の著作権を確実に保護することが可能となる。
【００２９】
（第２実施形態）
図２は、本発明の第２実施形態に係るカメラ付き携帯端末の概略構成を示す機能ブロック図である。このカメラ付き携帯端末２０は、図１に示したカメラ付き携帯端末１０において、情報検出手段１４に接続して画像データベース２１を設けたものである。画像データベース２１には、例えば、第２撮像手段１２により、当該カメラ付き携帯端末２０を使用する可能性のある撮影者の顔を撮影して、各撮影者の画像データを格納しておくとともに、各撮影者の氏名情報を関連付けて格納しておく。あるいは、外部の記録媒体に記録されている同様の情報を、画像データベース２１に転送して記録しておく。
【００３０】
このようにして、本実施形態では、第２撮像手段１２からの画像データに基づいて画像データベース２１を検索し、その結果、現在の撮影者の顔が画像データベース２１から検索された場合には、当該撮影者の氏名情報（識別情報）を画像データベース２１から取得して、その取得した氏名情報を情報付加手段１５へ出力し、現在の撮影者が検索されなかった場合には、撮影者が不明である旨の情報を情報付加手段１５へ出力して、情報付加手段１５において、情報検出手段１４からの情報を、第１撮像手段１１からの画像データに、当該画像データの画像関連情報として付加して、画像記録手段１６に記録する。その他の構成および動作は、図１に示した第１実施形態と同様である。
【００３１】
したがって、本実施形態によれば、カメラ付き携帯端末２０を使用する可能性のある撮影者の顔の画像データと、氏名情報とを関連付けて画像データベース２１に予め登録しておくという簡単な操作だけで、登録済みの撮影者による撮影においては、被写体の撮影と同時に、その画像データに当該撮影者の氏名情報を自動的に付加することができる。したがって、第１実施形態に画像データベース２１を付加するだけの簡単かつ安価な構成で、被写体の画像データに撮影者の氏名情報を誤り無く付加して記録でき、撮影者の著作権を確実に保護することが可能となる。
【００３２】
（第３実施形態）
図３は、本発明の第３実施形態に係る画像関連情報取得システムの概略構成を示す機能ブロック図である。この画像関連情報取得システムは、ネットワーク３０に接続可能なカメラ付き携帯通信端末４０と、ネットワーク３０に接続された画像関連情報提供サーバ５０とを有している。
【００３３】
カメラ付き携帯通信端末４０は、図１に示したカメラ付き携帯端末１０において、情報検出手段１４に代えて、ネットワーク３０を介して画像関連情報提供サーバ５０と通信する通信手段４１を有している。通信手段４１は、第２撮像手段１２で撮影して得た画像データを、ネットワーク３０を介して画像関連情報提供サーバ５０へ送信するとともに、画像関連情報提供サーバ５０からネットワーク３０を介して送信される、第２撮像手段１２からの画像データに関する情報を受信して情報付加手段１５へ供給する。
【００３４】
これにより、カメラ付き携帯通信端末４０では、情報付加手段１５において、通信手段４１で受信した画像関連情報提供サーバ５０からの情報を、第１撮像手段１１からの画像データに、当該画像データの画像関連情報として付加して、画像記録手段１６に記録する。このカメラ付き携帯通信端末４０におけるその他の構成および動作は、図１に示した第１実施形態と同様である。なお、通信手段４１は、カメラ付き携帯通信端末４０に内蔵させてもよいし、無線カード等により構成して、着脱自在に設けるようにしてもよい。
【００３５】
一方、画像関連情報提供サーバ５０は、ネットワーク３０との通信手段５１と、情報検出手段５２とを有している。情報検出手段５２には、予め、カメラ付き携帯通信端末４０からネットワーク３０を介して、図１に示したカメラ付き携帯端末１０の情報検出手段１４と同様に、第２撮像手段１２により撮影して得た所定の撮影者における顔の画像データと、当該撮影者の氏名情報とを登録しておく。
【００３６】
これにより、画像関連情報提供サーバ５０では、情報検出手段５２において、ネットワーク３０を介して通信手段５１で受信した、カメラ付き携帯通信端末４０からの第２撮像手段１２による画像データと、登録されている画像データとを比較し、第２撮像手段１２で撮影された撮影者の顔が、登録されている撮影者の顔と一致した場合には、登録されている氏名情報を、通信手段５１によりネットワーク３０を介してカメラ付き携帯通信端末４０へ送信する。
【００３７】
すなわち、本実施形態は、基本的には、第１実施形態において、カメラ付き携帯端末１０にネットワーク３０との通信機能を持たせ、情報検出手段１４を、ネットワーク３０に接続された画像関連情報提供サーバ５０に設けたものである。
【００３８】
本実施形態によれば、第１実施形態と同様の効果が得られる他、画像関連情報提供サーバ５０に、カメラ付き携帯通信端末４０の第２撮像手段１２による画像データに基づいて、第１撮像手段１１による画像データの画像関連情報となる撮影者の氏名情報を検出するための情報検出手段５２を設けたので、カメラ付き携帯通信端末４０を、第１実施形態におけるカメラ付き携帯端末１０よりも、より簡単に構成することができる。また、カメラ付き携帯通信端末４０は、携帯電話等のネットワーク通信機能を有していれば、その通信機能を兼用することができるので、この場合には、よりコストダウンを図ることが可能となる。
【００３９】
（第４実施形態）
図４は、本発明の第４実施形態に係る画像関連情報取得システムの概略構成を示す機能ブロック図である。この画像関連情報取得システムは、図３に示した画像関連情報取得システムにおいて、画像関連情報提供サーバ５０に、情報検出手段５２に接続して、複数の撮影者に関する顔の画像データを格納するとともに、各撮影者の氏名情報を関連付けて格納する画像データベース５３を設けたものである。すなわち、本実施形態は、基本的には、第２実施形態において、カメラ付き携帯端末２０にネットワーク３０との通信機能を持たせ、情報検出手段１４および画像データベース２１を、ネットワーク３０に接続された画像関連情報提供サーバ５０に設けたものである。
【００４０】
このようにして、本実施形態では、画像関連情報提供サーバ５０において、ネットワーク３０を介して通信手段５１で受信した、カメラ付き携帯通信端末４０からの第２撮像手段１２による画像データに基づいて、情報検出手段５２により画像データベース５３を検索し、その結果、受信した画像データに対応する撮影者の顔が画像データベース５３から検索された場合には、当該撮影者の氏名情報を画像データベース５３から取得して、その取得した氏名情報を、通信手段５１によりネットワーク３０を介してカメラ付き携帯通信端末４０へ送信し、受信した画像データに対応する撮影者の顔が画像データベース５３から検索されなかった場合には、撮影者が不明である旨の情報を通信手段５１によりネットワーク３０を介してカメラ付き携帯通信端末４０へ送信する。その他の構成および動作は、図３に示した第３実施形態と同様である。
【００４１】
本実施形態によれば、第３実施形態と同様の効果が得られる他、画像関連情報提供サーバ５０に画像データベース５３を付加するだけの簡単かつ安価な構成で、画像データベース５３に登録済みの撮影者による撮影においては、被写体の撮影と同時に、その画像データに当該撮影者の氏名情報を自動的に付加することができ、撮影者の著作権を確実に保護することが可能となる。
【００４２】
（第５実施形態）
図５は、本発明の第５実施形態に係るカメラ付き携帯端末の概略構成を示す機能ブロック図である。このカメラ付き携帯端末６０は、図１に示したカメラ付き携帯端末１０において、第１撮像手段１１および第２撮像手段１２に代えて、一つの撮像手段６１を設け、制御手段６２による制御のもとに、撮像手段６１により順次に撮影して得られる一方の画像データを情報検出手段１４に供給し、他方の画像データを情報付加手段１５に供給するようにしたものである。
【００４３】
これにより、本実施形態では、情報検出手段１４において、撮像手段６１により順次に撮影して得られる一方の画像データに基づいて、当該画像データに関する情報を検出し、この検出した情報を、情報付加手段１５において、撮像手段６１により順次に撮影して得られる他方の画像データに、当該画像データの画像関連情報として付加して、画像記録手段１６に関連付けて記録する。
【００４４】
したがって、本実施形態によれば、撮像手段６１が一つで済むので、第１実施形態の場合よりも、簡単かつ安価にできる。
【００４５】
本実施形態によるカメラ付き携帯端末６０によれば、例えば、第１実施形態と同様に、制御手段６２による制御のもとに、先ず、撮像手段６１により所望の被写体を撮影して、その画像データを情報付加手段１５に供給し、次に、実質的に撮影者が変更されない所定時間内（例えば、３〜５秒内）に、撮像手段６１により撮影者を撮影して、その画像データを情報検出手段１４に供給することにより、所定の撮影者の氏名情報を検出し、その氏名情報を情報付加手段１５において、被写体の画像データに画像関連情報として付加して、画像記録手段１６に記録することができる。これにより、所定の撮影者により撮影される画像データに、撮影者の氏名情報を誤り無く付加して記録でき、撮影者の著作権を確実に保護することが可能となる。
【００４６】
また、制御手段６２による制御のもとに、例えば、先ず、撮像手段６１により品物を撮影して、その画像データを情報付加手段１５に供給し、次に、制御手段６２による指示に基づいて、撮像手段６１により当該品物の名称や価格を示す文字情報を撮影して、その情報を情報検出手段１４に供給して、文字認識などにより、名称や価格情報を検出し、その検出した名称や価格情報を、情報付加手段１５において品物の画像データに、画像関連情報として付加して、画像記録手段１６に記録することができる。これにより、画像記録手段１６に記録された画像データの再生時に、品物と、その名称や価格とを知ることができる。
【００４７】
更には、制御手段６２による制御のもとに、例えば、先ず、撮像手段６１により品物を撮影して、その画像データを情報付加手段１５に供給し、その後、制御手段６２による指示に基づいて、店舗の看板などを撮影して、その情報を情報検出手段１４に供給して、文字認識などにより、店舗名を検出し、その検出した店舗名の情報を、情報付加手段１５において品物の画像データに画像関連情報として付加して、画像記録手段１６に記録することができる。これにより、画像記録手段１６に記録された画像データの再生時に、どの店で、その品物を購入、あるいは見たかを知ることができる。
【００４８】
（第６実施形態）
図６は、本発明の第６実施形態に係るカメラ付き携帯端末の概略構成を示す機能ブロック図である。このカメラ付き携帯端末７０は、図５に示したカメラ付き携帯端末６０において、情報検出手段１４に接続して画像データベース７１を設けたものである。画像データベース７１には、第２実施形態と同様に、例えば、撮像手段６１により、当該カメラ付き携帯端末７０を使用する可能性のある撮影者の顔を撮影して得た各撮影者の画像データと、各撮影者の氏名情報とを関連付けて格納したり、品物や店舗の画像データと、その各品物や店舗の名称情報とを関連付けて格納したり、各種の画像関連情報を格納しておく。なお、これらの情報は、外部の記録媒体に記録されている同様の情報を、画像データベース７１に転送して記録しておく。
【００４９】
このようにして、本実施形態では、制御手段６２による制御のもとに、情報検出手段１４において、撮像手段６１からの画像データに基づいて、第２実施形態と同様にして、画像データベース７１から対応する画像関連情報を検索し、画像関連情報が検索された場合には、その画像関連情報を情報付加手段１５において対応する画像データに付加し、検索されなかった場合には、その旨の情報を情報付加手段１５において対応する画像データに付加して、画像記録手段１６に記録する。その他の構成および動作は、図５に示した第５実施形態と同様である。
【００５０】
したがって、本実施形態によれば、第５実施形態に画像データベース７１を付加するだけの簡単かつ安価な構成で、被写体の画像データに、所要の画像関連情報を付加することができる。
【００５１】
（第７実施形態）
図７は、本発明の第７実施形態に係る画像関連情報取得システムの概略構成を示す機能ブロック図である。この画像関連情報取得システムは、ネットワーク３０に接続可能なカメラ付き携帯通信端末８０と、ネットワーク３０に接続された画像関連情報提供サーバ９０とを有している。
【００５２】
カメラ付き携帯通信端末８０には、図５に示したカメラ付き携帯端末６０において、情報検出手段１４に代えて、ネットワーク３０を介して画像関連情報提供サーバ９０と通信する通信手段８１を設け、該通信手段８１により、制御手段６２による制御のもとに、撮像手段６１で撮影して得た画像データを、ネットワーク３０を介して画像関連情報提供サーバ９０へ送信するとともに、画像関連情報提供サーバ９０からネットワーク３０を介して送信される情報を受信して、情報付加手段１５へ供給する。その他の構成および動作は、図５に示した第５実施形態と同様である。なお、通信手段８１は、カメラ付き携帯通信端末８０に内蔵させてもよいし、無線カード等により構成して、着脱自在に設けるようにしてもよい。
【００５３】
一方、画像関連情報提供サーバ９０には、ネットワーク３０との通信手段９１と、情報検出手段９２とを設け、情報検出手段９２において、ネットワーク３０を介して通信手段９１で受信した、カメラ付き携帯通信端末８０からの画像データに対応する情報を検出して、その結果を通信手段９１によりネットワーク３０を介してカメラ付き携帯通信端末８０へ送信する。
【００５４】
すなわち、本実施形態は、基本的には、第５実施形態において、カメラ付き携帯端末６０にネットワーク３０との通信機能を持たせ、情報検出手段１４を、ネットワーク３０に接続された画像関連情報提供サーバ９０に設けたものである。
【００５５】
本実施形態によれば、第３実施形態と同様の効果が得られる他、カメラ付き携帯通信端末８０においては、撮像手段６１が一つで済むので、第３実施形態の場合よりも、簡単かつ安価にできる。
【００５６】
（第８実施形態）
図８は、本発明の第８実施形態に係る画像関連情報取得システムの概略構成を示す機能ブロック図である。この画像関連情報取得システムは、図７に示した画像関連情報取得システムにおいて、画像関連情報提供サーバ９０に、情報検出手段９２に接続して、第６実施形態で説明したような、各種の画像関連情報を格納する画像データベース９３を設けたものである。すなわち、本実施形態は、基本的には、第６実施形態において、カメラ付き携帯端末７０にネットワーク３０との通信機能を持たせ、情報検出手段１４および画像データベース７１を、ネットワーク３０に接続された画像関連情報提供サーバ９０に設けたものである。
【００５７】
このようにして、本実施形態では、画像関連情報提供サーバ９０において、ネットワーク３０を介して通信手段９１で受信した、カメラ付き携帯通信端末８０からの画像データに基づいて、情報検出手段９２により画像データベース９３から対応する画像関連情報を検索し、その結果を通信手段９１によりネットワーク３０を介してカメラ付き携帯通信端末８０へ送信して、カメラ付き携帯通信端末８０の情報付加手段１５において、対応する画像データに付加して画像記録手段１６に記録する。その他の構成および動作は、図７に示した第７実施形態と同様である。
【００５８】
したがって、本実施形態によれば、第７実施形態と同様の効果が得られる他、画像関連情報提供サーバ９０に画像データベース９３を付加するだけの簡単かつ安価な構成で、被写体の画像データに、所要の画像関連情報を付加することができる。
【００５９】
なお、本発明は、上記実施の形態にのみ限定されるものではなく、幾多の変形または変更が可能である。例えば、第１〜第４実施形態において、所定時間内に、第１撮像手段１１による撮影と第２撮像手段１２による撮影とを、任意の順番で行うようにすることもできる。また、第５〜第８実施形態においは、制御手段６２による制御のもとに、例えば、図示しない表示手段や音声出力手段に、最初に画像関連情報を取得するための画像の撮影を促すメッセージを出力し、当該画像の撮影後に、目的の被写体の撮影を促すメッセージを出力して、当該被写体を撮影させるように構成することもできる。
【図面の簡単な説明】
【００６０】
【図１】本発明の第１実施形態に係るカメラ付き携帯端末の概略構成を示す機能ブロック図である。
【図２】本発明の第２実施形態に係るカメラ付き携帯端末の概略構成を示す機能ブロック図である。
【図３】本発明の第３実施形態に係る画像関連情報取得システムの概略構成を示す機能ブロック図である。
【図４】本発明の第４実施形態に係る画像関連情報取得システムの概略構成を示す機能ブロック図である。
【図５】本発明の第５実施形態に係るカメラ付き携帯端末の概略構成を示す機能ブロック図である。
【図６】本発明の第６実施形態に係るカメラ付き携帯端末の概略構成を示す機能ブロック図である。
【図７】本発明の第７実施形態に係る画像関連情報取得システムの概略構成を示す機能ブロック図である。
【図８】本発明の第８実施形態に係る画像関連情報取得システムの概略構成を示す機能ブロック図である。
【符号の説明】
【００６１】
１０，２０  カメラ付き携帯端末
１１  第１撮像手段
１２  第２撮像手段
１３  制御手段
１４  情報検出手段
１５  情報付加手段
１６  画像記録手段
２１  画像データベース
３０  ネットワーク
４０  カメラ付き携帯通信端末
４１  通信手段
５０  画像関連情報提供サーバ
５１  通信手段
５２  情報検出手段
５３  画像データベース
６０，７０  カメラ付き携帯端末
６１  撮像手段
６２  制御手段
７１  画像データベース
８０  カメラ付き携帯通信端末
８１  通信手段
９０  画像関連情報提供サーバ
９１  通信手段
９２  情報検出手段
９３  画像データベース
【図１】
2008271309.tif 000003
【図２】
2008271309.tif 000004
【図３】
2008271309.tif 000005
【図４】
2008271309.tif 000006
【図５】
2008271309.tif 000007
【図６】
2008271309.tif 000008
【図７】
2008271309.tif 000009
【図８】
2008271309.tif 000010